(57)【要約】【課題】蓄熱材として蓄熱性能の高い潜熱蓄熱材を用い、かつパネル上面の温度を部分的に異ならせることができる床暖房パネルと、そのための床暖房用蓄熱シートを提供する。【解決手段】床暖房パネル１は、基板１０と、該基板１０の上面側に設けられた床暖房用蓄熱シート２０とを有する。基板１０は、方形板状の合成樹脂発泡材等よりなる基体１１と、該基体１１の１対の辺部に沿って配置され、該基体１１に対し接着剤等によって固着された合板等よりなる小根太１２、１２とで構成されている。蓄熱シート２０は、方形のシェル２１と、このシェル２１内の小室２９ａ、２９ｂ、２９ｃに充填された潜熱蓄熱材２７ａ、２７ｂ、２７ｃは融解温度が互いに異なる。【選択図】図２
2008032260.tif 000002
【特許請求の範囲】
【請求項１】
内部に空室を有した中空板状のシェルと、
該シェルの前記空室内に充填された潜熱蓄熱材と
を備えてなる床暖房用蓄熱シートにおいて、
該シェル内の該空室が複数の小室に分画されており、
他の小室とは融解温度の異なる潜熱蓄熱材が充填されている小室を有することを特徴とする床暖房用蓄熱シート。
【請求項２】
請求項１において、該シェルは、
上面部と、
該上面部に所定間隔を置いて対置された下面部と、
該上面部及び下面部の周縁部に連なる周壁部と、
該上面部と下面部との間のスペースを複数の小室に区画する隔壁と
を備えてなり、
該隔壁は一方向に平行に延在しており、これにより該一方向に平行に延在して複数の前記小室が設けられていることを特徴とする床暖房用蓄熱シート。
【請求項３】
請求項２において、隣接する小室内の潜熱蓄熱材の融解温度が異なることを特徴とする床暖房用蓄熱シート。
【請求項４】
放熱管を有した基板と、該基板の上側に設けられた請求項１ないし３のいずれか１項に記載の床暖房用蓄熱シートとを備えてなることを特徴とする床暖房パネル。
【請求項５】
請求項４において、前記床暖房用蓄熱シートは請求項３に記載の床暖房用蓄熱シートであり、
前記放熱管は前記小室の延在方向と平行方向に延在しており、
該放熱管は一部の小室の下側にのみ配置されていることを特徴とする床暖房パネル。
【請求項６】
請求項５において、前記放熱管が平行に複数列設けられており、
下側に放熱管が配置された小室同士の間に、下側に放熱管が配置されていない少なくとも１つの小室が配置されていることを特徴とする床暖房パネル。
【請求項７】
請求項４において、下側に放熱管が配置された小室内に充填された潜熱蓄熱材の融解温度が、下側に放熱管が配置されていない小室内に充填された潜熱蓄熱材の融解温度よりも高いことを特徴とする床暖房パネル。
【発明の詳細な説明】
【技術分野】
【０００１】
本発明は、温水等の熱媒を配管に通して床暖房を行う床暖房パネルと、それに用いられる蓄熱シートに関する。
【背景技術】
【０００２】
従来、一般住宅、集合住宅、ホテル、病院、高齢者養護施設などの建造物の床には、居住性を高める目的で、床面から暖房する床暖房構造が開発、実用化され、各種態様の床暖房構造が提案されている。特に、温水等の熱媒を通す放熱管を設けた床暖房構造は、ヒーター加熱によるものとは異なり、局部的に過熱状態が生じにくく、放熱性も良好であるという利点を有し、広く採用されるようになってきている。
【０００３】
この床暖房パネルを設けた床構造として、特開２０００−２９１９６５号公報には、上面に配管収容用の溝が設けられ、該溝内に熱媒流通用の配管が配設された床暖房パネルと、該床暖房パネル上に積層された板状の蓄熱部と、該蓄熱部の上側の捨貼合板と、該捨貼合板の上側の床仕上げ材とを有した構造が記載されている。
【０００４】
この特開２０００−２９１９６５号公報の蓄熱部としては、岩石、コンクリート等の蓄熱材をそのまま板状としたものか、又はこのような蓄熱材を塊状にし、合成樹脂板内に分散含有させたものが用いられている（同号公報００１６段落）。
【０００５】
特開平９−３０３８０３号公報には、平板形状の蓄熱体と、この蓄熱体内に埋設された温水配管とを有した床暖房パネルが記載されている。同号公報の００１１段落には、蓄熱体として蓄熱性能を有するゲル状流体又は水溶液等の流動化材料が好ましいと記載されている。
【特許文献１】特開２０００−２９１９６５号公報
【特許文献２】特開平９−３０３８０３号公報
【発明の開示】
【発明が解決しようとする課題】
【０００６】
特開２０００−２９１９６５号の蓄熱体は、コンクリート、岩石などのため、蓄熱性能が低い。
【０００７】
特開平９−３０３８０３号では、流動化材料がパネル全体に一様に配材されている（同号公報の図２）。そのため、パネルの上面温度はパネル全体としてほぼ同一になる。
【０００８】
本発明は、蓄熱材として蓄熱性能の高い潜熱蓄熱材を用い、かつパネル上面の温度を部分的に異ならせることができる床暖房パネルと、そのための床暖房用蓄熱シートを提供することを目的とする。
【課題を解決するための手段】
【０００９】
本発明の床暖房用蓄熱シートは、内部に空室を有した中空板状のシェルと、該シェルの前記空室内に充填された潜熱蓄熱材とを備えてなる床暖房用蓄熱シートにおいて、該シェル内の該空室が複数の小室に分画されており、他の小室とは融解温度の異なる潜熱蓄熱材が充填されている小室を有することを特徴とするものである。
【００１０】
このシェルは、上面部と、該上面部に所定間隔を置いて対置された下面部と、該上面部及び下面部の周縁部に連なる周壁部と、該上面部と下面部との間のスペースを複数の小室に区画する隔壁とを備えてなり、かつ、一方向に平行に延在するように複数個設けられ、これにより該一方向に複数の小室が平行に延在するよう構成されることが好ましい。
【００１１】
そして、隣接する小室内の潜熱蓄熱材の融解温度が異なることが好ましい。
【００１２】
本発明の床暖房パネルは、放熱管を有した基板と、該基板の上側に設けられた本発明の床暖房用蓄熱シートとを備えてなるものである。
【００１３】
この床暖房パネルにあっては、放熱管は前記小室の延在方向と平行に延在しており、該放熱管は一部の小室の下側にのみ配置されていることが好ましい。
【００１４】
この床暖房パネルでは、放熱管が平行に複数列設けられており、下側に放熱管が配置された小室同士の間に、下側に放熱管が配置されていない少なくとも1つの小室が配置されていることが好ましい。
本発明では、下側に放熱管が配置された小室内に充填された潜熱蓄熱材の融解温度が、下側に放熱管が配置されていない小室内に充填された潜熱蓄熱材の融解温度よりも高い構成としてもよい。
【発明の効果】
【００１５】
本発明の床暖房用蓄熱シートは、蓄熱材として潜熱蓄熱材を用いているので、放熱管に高温度の熱媒を流通させても床暖房用蓄熱シートの上面温度は通常の場合、潜熱蓄熱材の融解温度に保たれる。従って、例えば融解温度が４０〜５０℃程度の潜熱蓄熱材を用い、８０℃程度の高温の温水を放熱管に流通させるようにすることにより、温水ボイラの熱効率を向上させることができる。また、放熱管に流通させる熱媒の温度が変動しても、床面の温度の変動が小さいものとなる。
【００１６】
また、各小室に充填する潜熱蓄熱材として融解温度の異なるものを選定することにより、居住者の希望に応じた床温度分布を設定することができる。
【００１７】
特に、放熱管など小室を平行に配置し、下側に放熱管が配置された小室同士の間に、下側に放熱管が配置されていない小室を配置することにより、例えば放熱管の上方のパネル上面温度を他と異ならせることができる。この場合でも、各小室の上方の床面温度の変動は小さい。
【００１８】
なお、このシェル内が隔壁によって上面部と下面部との間に複数のスペースを区画形成したものである場合、シェルの面圧剛性が高くなり、床暖房用蓄熱シートに上方から押圧力が加えられたときの変形が防止ないし抑制される。また、仮に何らかの原因によってシェルの１箇所に亀裂や孔が生じても、潜熱蓄熱材の漏れは１つの小室分だけとなる。
【００１９】
また、複数の隔壁が一方向に平行に延在して設けられている場合には、シェルを合成樹脂の押出成形により容易に製造することができる。
【発明を実施するための最良の形態】
【００２０】
以下、図面を参照して本発明の床暖房パネルの実施の形態を詳細に説明するが、以下に説明するものは本発明の実施形態の一例であって、本発明はその要旨を超えない限り、以下の説明に何ら限定されるものではない。
【００２１】
第１図（ａ）は本発明の実施の形態に係る床暖房パネルの断面図、第１図（ｂ）は第１図（ａ）のＢ部の拡大図、第２図は第１図（ｂ）のII部の拡大図である。第３図は基板と蓄熱シートとの係合関係を示す分解斜視図、第４図はシェルの分解斜視図である。
【００２２】
この床暖房パネル１は、基板１０と、該基板１０の上面側に設けられた床暖房用蓄熱シート２０とを有する。基板１０は、方形板状の合成樹脂発泡材等よりなる基体１１と、該基体１１の１対の辺部に沿って配置され、該基体１１に対し接着剤等によって固着された合板等よりなる小根太１２，１２とで構成されている。
【００２３】
基体１１の厚さは小根太１２よりも若干小さい。基体１１と小根太１２とは、底面を面一にして固着されており、基体１１の上面は小根太１２の上面よりも若干低くなっている。これにより、基板１０は基体１１の上面側に凹所が形成された形状となっている。凹所の深さは、小根太１２と基体１１との厚みの差に等しい。
【００２４】
この基体１１の上面に溝１３が延設され、この溝１３内に熱媒流通用の配管（放熱管）１４が配設されている。なお、図示は省略するが、この溝１３内に、略Ｕ字形断面形状のＵ字部と、このＵ字部の双方の上端から互いに離反方向に張り出す張出部とを有した逆Ω字形状の伝熱材を配置し、このＵ字部内に放熱管１４を配置してもよい。張出部は、溝１３に沿う基体１１の上面に重ね合わされる。この伝熱材は、アルミ等よりなり、また、必要に応じ基体１１に対し接着剤又は粘着材によって付着される。
【００２５】
小根太１２は、合板よりなる細長い板形状の部材である。
【００２６】
床暖房用蓄熱シート２０は、上記凹所に嵌まる大きさを有し、厚さが上記凹所の深さと等しいものとなっている方形のシェル２１と、このシェル２１の上面に貼り付けられた合成樹脂の不織布、織布、フィルム等よりなる箔体３０とを有する。この箔体３０の１対の側辺部３０ａがシェル２１の側縁から張り出している。
【００２７】
第４図に明示される通り、シェル２１は、上面部２２と、該上面部２２と所定間隔をおいて配置された下面部２３と、上面部２２と下面部２３との１対の側辺部同士を繋いでいる１対の側壁部２４と、該側壁部２４と平行に延在し、上面部２２と下面部２３とを繋いでいるリブ状の隔壁２５と、シェル２１の端面を閉鎖している１対のエンドプレート２６，２６とを有している。この隔壁２５によりシェル２１内は、隔壁２５及び側壁部２４と平行方向に延在する複数の小室２９に区画されている。
【００２８】
この上面部２２、下面部２３、側壁部２４及び隔壁２５は、合成樹脂の押出成形により一体に成形されている。なお、押出成形の押出方向は側壁部２４及び隔壁２５の延在方向である。上面部２２、下面部２３、側壁部２４及び隔壁２５よりなるシェル半完成品の一端面に対し一方のエンドプレート２６を接着、超音波溶着などによって固着した後、各小室２９内に潜熱蓄熱材２７を充填し、他方の端面に他方のエンドプレート２６を接着、超音波溶着などによって固着することにより、潜熱蓄熱材２７が封入されたシェル２１が得られる。この潜熱蓄熱材２７としては、融解温度が３０〜６０℃程度のものが用いられる。
【００２９】
この実施の形態では、隣接する小室２９内の潜熱蓄熱材２７は融解温度が異なるものとなっている。具体的には、この実施の形態では、第２図の通り、下側に放熱管１４が配置された小室２９（２９ａ）同士の間に、下側に放熱管１４が配置されていない小室２９（２９ｂ、２９ｃ）が設けられている。小室２９ｂは小室２９ａに隣接しており、小室２９ｃは小室２９ｂ間に位置している。なお、パネル側辺部では、小室２９ｃは１つの小室２９ｂにのみ隣接している。放熱管１４上の小室２９ａ内には、融解温度が比較的高い潜熱蓄熱材２７ａが充填され、それに隣接する小室２９ｂ内には融解温度が中間の潜熱蓄熱材２７ｂが充填され、小室２９ｃ内には融解温度が比較的低い潜熱蓄熱材２７ｃが充填されている。なお、潜熱蓄熱材２７の好ましい融解温度及び組成については後述する。
【００３０】
このシェル２１に対し箔体３０を接着剤又は粘着剤によって貼り付けることにより、床暖房用蓄熱シート２０が得られる。シェル２１から張り出す箔体３０の側辺部３０ａの幅員は、小根太１２の幅員と等しい。
【００３１】
この床暖房用蓄熱シート２０を、放熱管１４付きの基板１０に装着する。この際、シェル２１は基体１１の上面に重ね、側辺部３０ａは小根太１２の上面に重ね、それぞれ接着剤又は粘着剤によって基体１１、小根太１２に付着させる。これにより、床暖房パネル１が構成される。
【００３２】
このように構成された床暖房パネル１は、例えば合板等よりなる床下地板上に敷設され、その上に必要に応じ下地合板を介して床仕上げ材が配材される。この床暖房パネル１は、側辺部３０ａ及び小根太１２を通して釘又はビス打ちすることにより床下地板に固定される。この実施の形態では、側辺部３０ａがシェル２１の両側辺から延出しているので、床暖房用蓄熱シート２０の左右両側縁部をしっかりと固定することができる。
【００３３】
この釘又はビスは、シェル２１を全く貫通しないので、液状となった潜熱蓄熱材２７が液漏れすることは全くない。
【００３４】
この床暖房パネル１の放熱管１４に温水等の熱媒を流通させることにより、床暖房が行われる。放熱管１４の上側に蓄熱シート２０が敷設されており、この蓄熱シート２０の蓄熱材が潜熱蓄熱材であるため、放熱管１４の温度が高くても床面温度は、通常、潜熱蓄熱材の融解温度又はそれ以下となり、快適な床暖房を行うことができる。また、放熱管１４に通す温水等の温度を高くすることにより、ボイラの熱効率を高めることができる。また、放熱管１４に流通させる温水等の温度が変動しても、床面の温度をほぼ一定に保つことができる。
【００３５】
また、この床暖房用蓄熱シート２０は、放熱管１４に近い小室２９ａ内の潜熱蓄熱材２７ａが融解温度の高いものとなっており、放熱管１４から離隔した小室２９ｃ内の潜熱蓄熱材２７ｃが融解温度の低いものとなっており、両者の中間の小室２９ｂ内の潜熱蓄熱材２７ｂが両者の中間の融解温度のものとなっている。このため、小室２９ａの上方は比較的高温に加熱され、小室２９ｃの上方はそれよりも低い温度に加熱され、小室２９ｂの上方は両者の中間の温度に加熱される。従って、床面暖房温度に分布をもたせることができる。
【００３６】
この実施の形態では、床暖房用蓄熱シート２０のシェル２１は、複数の隔壁２５によって上面部２２を支承した構造となっているので、上方から大きな荷重が加えられても上面部２２が凹むように変形することはない。
【００３７】
この実施の形態では、シェル２１内が隔壁２５によって多数の小室２９に分画されているので、仮にシェル２１に局所的にクラックや貫通孔が生じても、液状の潜熱蓄熱材の漏出量は１個の小室２９の容積以下に止まる。
【００３８】
このシェル２１は隔壁２５と側壁部２４，２５とが平行方向に延在しているので、合成樹脂の押出成形により効率良く製造することができる。
【００３９】
本発明の床暖房パネルは、予め工場で基板と床暖房用蓄熱シートとを一体化したものを施工現場に搬入してもよいし、あるいは、基板と床暖房用蓄熱シートを、それぞれ施工現場に搬入し、施工現場で一体化してもよい。更に、箔体３０を施工現場で設けてもよい。
【００４０】
以下に本発明の床暖房パネルを構成する各部材の構成材料等について詳細に説明する。
【００４１】
〈基体〉
基体１１の材質は特に限定されないが、通常、断熱性に富んだ発泡合成樹脂製のものが好ましく、発泡合成樹脂製の板状体、具体的には、ポリウレタン発泡体、ポリエチレン発泡体、ポリプロピレン発泡体、ポリスチレン発泡体、ポリ塩化ビニル発泡体、ポリメチルメタクリレート発泡体、ポリカーボネート発泡体、ポリフェニレンオキサイド発泡体、ポリスチレンとポリエチレン混合物の発泡体などが挙げられる。中でも、ポリエチレン発泡体、ポリプロピレン発泡体、ポリスチレン発泡体などが好適である。基体１１を構成するこれらの板状体の厚さは９〜５０ｍｍの範囲内で選ぶのが好ましい。基体１１の発泡倍率は１０〜５０倍程度が好適である。
【００４２】
〈溝〉
基体１１の上面には、放熱管１４を配設するための溝１３が基体１１の長手方向と平行に複数本刻設されている。
【００４３】
溝１３の幅員は、放熱管１４の外径と同程度とするのが好ましい。溝１３は、その延在方向に直交する断面形状がＵ字形状又はコ字形状となるように形成されるが、特に、放熱管１４から床面への伝熱性、放熱管１４を溝１３に埋設する際の施工性の面から、断面Ｕ字形とすることが好ましい。
【００４４】
溝１３の深さは、放熱管１４の外径と同程度とするのが好ましい。
【００４５】
〈放熱管１４〉
放熱管１４には、通常可撓性チューブが使用され、具体的には架橋ポリエチレン管、ポリブテン管などの樹脂管、銅管、鋼管などの金属管のいずれを用いても良い。このうち、金属管は樹脂管に比べて高熱伝導率であるものの重量が重く、加工性、発錆等の問題があり、また、コストも高くなるため、床暖房パネルの用途に用いる場合は、樹脂管が好ましい。
【００４６】
放熱管１４の断面（長さ方向に直交する方向の断面）形状には特に制限はなく、一般的には第１図に示すような円形とされるが、長円形状ないし楕円形状とすることにより、放熱管１４と蓄熱シート２０との接触面積を増すことができ、上面側への放熱効率をさらに高めることができる。ただし、この場合には基体１１に設ける溝１３の形状を放熱管１４の形状に倣って適宜設計する。
【００４７】
放熱管１４の寸法は、床暖房パネルの施工対象や流通させる熱媒の種類や温度によって変更できるものであるが、一般的には外径が６ｍｍ以上１３ｍｍ以下程度、内径が４ｍｍ以上１０ｍｍ以下程度で、肉厚が０．８ｍｍ以上２．０ｍｍ以下程度である。
【００４８】
〈熱媒〉
放熱管１４に通す熱媒（加熱媒体）としては、温水、水蒸気、加熱オイル、あるいはエチレングリコール系水溶液、プロピレングリコール系水溶液などの不凍液などが挙げられるが、好ましくは温水である。
【００４９】
〈伝熱材〉
放熱管１４からの熱を蓄熱シート２０に効率良く伝達させるために、前記の通り、伝熱材（図示略）を設けてもよい。
【００５０】
この伝熱材は、アルミニウム、銅などの熱良導性の金属材、特にアルミニウムよりなることが好ましい。
【００５１】
伝熱材は、Ｕ字形断面形状のＵ字部と、該Ｕ字部の上端から互いに反対方向に張り出す１対の張出部とを有することが好ましい。
【００５２】
〈シェル２１〉
シェル２１は、ポリプロピレン、ポリエチレン、ポリスチレン、ポリエチレンテレフタレート、ＡＢＳ、ポリ塩化ビニルなどの合成樹脂製であることが好ましく、特に押出成形、射出成形等の溶融成形が可能であるところから熱可塑性合成樹脂製であることが好ましい。シェル２１の厚み方向の寸法は１〜６ｍｍ程度が好適である。また、各種フィラー等、一般に樹脂に添加することのできる各種添加剤が含有されていてもよい。
シェル２１内の小室２７の幅は５〜５０ｍｍ程度が好適である。
【００５３】
〈潜熱蓄熱材２７〉
潜熱蓄熱材としては、３０〜６０℃特に４０〜５０℃付近に融解温度を有するものが好適である。このような潜熱蓄熱材としては、酢酸ナトリウム３水塩（ＣＨ３ＣＯＯＮａ・３Ｈ２Ｏ）（融点５８℃）、チオ硫酸ナトリウム５水塩（Ｎａ２Ｓ２Ｏ３・５Ｈ２Ｏ）（融点４８℃）、硫酸ナトリウム１０水塩（Ｎａ２ＳＯ４・１０Ｈ２Ｏ）（融点３２℃）、塩化カルシウム６水塩（ＣａＣｌ２・６Ｈ２Ｏ）（融点３０℃）の単体、もしくは、上記物質を２種類以上組み合わせた混合塩などが例示される。
なお、潜熱蓄熱材２９ａの融解温度は５０〜６０℃程度が好ましく、潜熱蓄熱材２９ｂの融解温度は４０〜５０℃程度が好ましく、潜熱蓄熱材２９ｃの融解温度は３０〜４０℃程度が好ましい。つまり、潜熱蓄熱材２９ｂの融解温度は、潜熱蓄熱材２９ａの融解温度よりも０〜２０℃低い温度であることが好ましく、また、潜熱蓄熱材２９ｃの融解温度は１０〜３０℃低い温度であることが好ましい。
【００５４】
〈箔体３０〉
箔体３０の種類としては、ポリエチレン、ポリプロピレン、ナイロンなどの合成樹脂繊維の不織布又は織布やフィルムが好適である。箔体３０は３０〜５００μｍ、特に８０〜２００μｍ程度の厚みのものが好適である。
【００５５】
〈表装材層〉
本発明では、箔体３０の上にさらに表装材層を設けてもよい。
【００５６】
表装材層としては特に制限はないが、下面側のクッション材層と、この上に積層された床表面材層とを備えるものが好ましい。ただし、クッション材層は必ずしも必要とされず、床表面材層のみでもよい。
【００５７】
クッション材層は、床表面材層上での優れた歩行感覚を得る等の面から、例えばポリウレタン発泡体、ポリオレフィン系発泡体等の発泡樹脂、熱可塑性エラストマー又は不織布を含むものである。
【００５８】
クッション材層の厚さは、その材質、床暖房パネルの施工対象によっても異なるが、床暖房パネルを過度に厚くすることなく、また、配管からの伝熱効率を損なうことなく、十分な歩行性等を得る上で、１ｍｍ以上６ｍｍ以下、特に２ｍｍ以上５ｍｍ以下の範囲とすることが好ましい。
【００５９】
床表面材層は、配管を埋設した基体を保護すると共に、床面外観の意匠性と耐久性を高めるためのものであり、通常は合板等の木製、発泡ゴム製で、好ましくは木製のものであり、その表面に通常は、天然木材板又は木目模様などの印刷模様を施したプラスチックフィルム、不織布、強化紙など、好ましくは天然木材板又は強化紙が貼着される。
【００６０】
床表面材層の厚さは、薄すぎると強度が不足して破損しやすくなり、厚すぎると配管からの伝熱効率が低下すると共に床暖房パネルの厚さが厚くなるため、３ｍｍ以上１５ｍｍ以下の範囲とするのが好ましい。
【００６１】
なお、このような床表面材層の上に更に樹脂塗装等を施しても良い。
【００６２】
［別の実施の形態］
上記実施の形態では、下側に放熱管１４が存在しない小室（２９ｂ、２９ｃ）を各小室２９ａ、２９ａ間に合計３室設けているが、この数は１、２又は４以上であってもよい。
また、本発明では、下側に放熱管１４が存在する小室内の潜熱蓄熱材として融解温度の比較的低いものとし、放熱管１４から離れた小室内の潜熱蓄熱材として融解温度の比較的高いものを用いてもよい。
【００６３】
本発明では、第５図のように、小根太１２を省略し、小根太１２の部分についても基体１１で構成してもよい。
【００６４】
なお、第５図（ａ），（ｂ）はそれぞれ第１図（ａ），（ｂ）に相当する断面図である。第５図の実施の形態のその他の構成は、上記実施の形態と同様であり、同一符号は同一部分を示している。
【００６５】
本発明では、第６図のように、シェルの隔壁を四角形、六角形等（第６図では四角形）のハニカムとしてもよい。
【００６６】
第６図のシェル４０は、井桁状のハニカム４１に対し上下からプレート４２を重ね合わせ、振動溶着、接着等により該プレート４２とハニカム４１とを接合することにより形成されたものである。なお、第６図では上側のプレート４２のみが図示されている。
【００６７】
このシェル４０を用いて床暖房用蓄熱シートを製造するには、ハニカム４１の下面にプレート４２を固着させて上開容器状とする。そして、ハニカム４１で区画された個々の小室内に潜熱蓄熱材を充填した後、上側のプレート４２を被せて固着する。その後、必要に応じシェル４０の上面に箔体３０（第６図では図示略）を貼着することにより、床暖房パネルが得られる。この場合も、一部の小室内の潜熱蓄熱材を他の小室の潜熱蓄熱材と融解温度の異なるものとする。
なお、本発明においては、シェル内の小室に潜熱蓄熱材を充填していない小室が存在しても良い。
【００６８】
上記実施の形態はいずれも本発明の一例であり、本発明は図示以外の形態をもとりうる。例えば、箔体３０をシェルの上面全体に貼るのではなく、シェルの上面の辺縁部にのみ合成樹脂シートを貼り付けてシェルから張り出させてもよい。
【図面の簡単な説明】
【００６９】
【図１】本発明の床暖房パネルの実施の形態を示す断面図である。
【図２】図１の一部の拡大図である。
【図３】図１の床暖房パネルの分解斜視図である。
【図４】図１の床暖房パネルのシェルの分解斜視図である。
【図５】別の実施の形態に係る床暖房パネルを示す断面図である。
【図６】異なる実施の形態に用いられるシェルの分解斜視図である。
【符号の説明】
【００７０】
１  床暖房パネル
１０  基板
１１  基体
１２  小根太
１３  溝
１４  放熱管
２０  床暖房用蓄熱シート
２１  シェル
２５  隔壁
２７（２７ａ、２７ｂ、２７ｃ）  潜熱蓄熱材
２９（２９ａ、２９ｂ、２９ｃ）  小室
３０  箔体
３０ａ  側辺部
４０  シェル
【図１】
2008032260.tif 000003
【図２】
2008032260.tif 000004
【図３】
2008032260.tif 000005
【図４】
2008032260.tif 000006
【図５】
2008032260.tif 000007
【図６】
2008032260.tif 000008